(57)【特許請求の範囲】
【請求項１】
ＩＣタグホルダーが、側壁に取り付けられるように構成された運搬用容器において、運搬用容器に形成されたＩＣタグホルダー収容空間部が、係止透孔が穿設された上端水平フランジと、上部水平リブと、相対する垂直リブと、側壁の外壁面とにより形成されているとともに、相対する垂直リブの中間には、上端水平フランジと上部水平リブとを連結する当接垂直リブが形成されており、且つ、当接垂直リブの先端が、上端水平フランジの先端と上部水平リブの先端と垂直リブの先端とにより形成される仮想垂直面より、引っ込んで形成されており、また、ＩＣタグホルダー収容空間部に収容されるＩＣタグホルダーが、前記上端水平フランジに穿設された係止透孔に嵌合される係止突起が突設された板状本体と、板状本体に形成された補強垂直リブと、板状本体から水平方向に延在するＩＣタグ係止フックと、板状本体と補強垂直リブとの間に形成されたスリットと、ＩＣタグ係止フックと板状本体との間に形成されたスリットとを有しており、ＩＣタグを、板状本体と補強垂直リブとの間に形成されたスリットと、ＩＣタグ係止フックと板状本体との間に形成されたスリットに挿入することにより、ＩＣタグが、ＩＣタグホルダーに取り付けられるように構成されており、更に、前記ＩＣタグホルダーの係止突起を、前記上端水平フランジに穿設された係止透孔に嵌合させることにより、ＩＣタグホルダーが、ＩＣタグホルダー収容空間部に収容されるとともに、前記ＩＣタグ係止フックが、前記当接垂直リブに当接するように構成したことを特徴とする運搬用容器。
【請求項２】
運搬用容器に形成されたＩＣタグホルダー収容空間部に、ＩＣタグホルダーが収容された際には、ＩＣタグホルダーに形成された補強垂直リブの上端が、側壁の上端水平フランジの裏面に、当接或いは接近して位置するように構成されており、また、補強垂直リブの下端が、側壁の上部水平リブの上面に、当接或いは接近して位置するように構成されていることを特徴とする請求項１に記載の運搬用容器。
【請求項３】
運搬用容器に形成されたＩＣタグホルダー収容空間部に、ＩＣタグホルダーが収容された際には、ＩＣタグホルダーに形成された補強垂直リブの先端が、側壁の外壁面に、当接或いは接近して位置するように構成されていることを特徴とする請求項１又は請求項２に記載の運搬用容器。
【発明の詳細な説明】
【技術分野】
【０００１】
本発明は、運搬用容器に関するものであり、特に、ＩＣタグホルダーを取り付けることが可能な運搬用容器に関するものである。
【背景技術】
【０００２】
従来、ＩＣタグやカードを、運搬用容器の外壁面に取り付けるように構成されたホルダーが、一例として、特許文献１に開示されている。
【先行技術文献】
【特許文献】
【０００３】
【特許文献１】実開平５−９４１３３号公報
【発明の概要】
【発明が解決しようとする課題】
【０００４】
上述した、従来の運搬用容器においては、ＩＣタグホルダーに保持されているＩＣタグが、外側に位置するように構成されているので、ＩＣタグに、外部部材が当接し、ＩＣタグが損傷するという問題があった。
【０００５】
また、ＩＣタグホルダー自体も、運搬用容器の外壁面から突設しているので、、ＩＣタグホルダーに、外部部材が当接し、ＩＣタグホルダーが、運搬用容器から外れたり、ＩＣタグホルダーが損傷するという問題があった。
【０００６】
本発明の目的は、上述した従来の運搬用容器が有する課題を解決することにある。
【課題を解決するための手段】
【０００７】
本発明は、上述した目的を達成するために、第１には、ＩＣタグホルダーが、側壁に取り付けられるように構成された運搬用容器において、運搬用容器に形成されたＩＣタグホルダー収容空間部が、係止透孔が穿設された上端水平フランジと、上部水平リブと、相対する垂直リブと、側壁の外壁面とにより形成されているとともに、相対する垂直リブの中間には、上端水平フランジと上部水平リブとを連結する当接垂直リブが形成されており、且つ、当接垂直リブの先端が、上端水平フランジの先端と上部水平リブの先端と垂直リブの先端とにより形成される仮想垂直面より、引っ込んで形成されており、また、ＩＣタグホルダー収容空間部に収容されるＩＣタグホルダーが、前記上端水平フランジに穿設された係止透孔に嵌合される係止突起が突設された板状本体と、板状本体に形成された補強垂直リブと、板状本体から水平方向に延在するＩＣタグ係止フックと、板状本体と補強垂直リブとの間に形成されたスリットと、ＩＣタグ係止フックと板状本体との間に形成されたスリットとを有しており、ＩＣタグを、板状本体と補強垂直リブとの間に形成されたスリットと、ＩＣタグ係止フックと板状本体との間に形成されたスリットに挿入することにより、ＩＣタグが、ＩＣタグホルダーに取り付けられるように構成されており、更に、前記ＩＣタグホルダーの係止突起を、前記上端水平フランジに穿設された係止透孔に嵌合させることにより、ＩＣタグホルダーが、ＩＣタグホルダー収容空間部に収容されるとともに、前記ＩＣタグ係止フックが、前記当接垂直リブに当接するように構成したものであり、第２には、運搬用容器に形成されたＩＣタグホルダー収容空間部に、ＩＣタグホルダーが収容された際には、ＩＣタグホルダーに形成された補強垂直リブの上端が、側壁の上端水平フランジの裏面に、当接或いは接近して位置するように構成されており、また、補強垂直リブの下端が、側壁の上部水平リブの上面に、当接或いは接近して位置するように構成したものであり、第３には、運搬用容器に形成されたＩＣタグホルダー収容空間部に、ＩＣタグホルダーが収容された際には、ＩＣタグホルダーに形成された補強垂直リブの先端が、側壁の外壁面に、当接或いは接近して位置するように構成したものである。
【発明の効果】
【０００８】
本発明は、運搬用容器に形成されたＩＣタグホルダー収容空間部に、ＩＣタグホルダーが収容された際には、ＩＣタグホルダーに取り付けられたＩＣタグが、運搬用容器の側壁の外壁面とＩＣタグホルダーの板状本体の内面との間に配置するように構成したので、ＩＣタグが、外側に剥き出しになるようなことがなく、従って、ＩＣタグに、外部部材が当接し、ＩＣタグが、損傷するようなことを防止することができる。
【０００９】
また、運搬用容器に形成されたＩＣタグホルダー収容空間部に、ＩＣタグホルダーが収容された際には、ＩＣタグホルダーに形成された補強垂直リブの上端が、側壁の上端水平フランジの裏面に、当接或いは接近して位置するように構成されており、また、補強垂直リブの下端が、側壁の上部水平リブの上面に、当接或いは接近して位置するように構成したので、側壁の上端水平フランジに、上方から負荷が加わり、上端水平フランジが下方に湾曲しようとしても、上端水平フランジが、ＩＣタグホルダーに形成された補強垂直リブにより、支持されるので、側壁の上端水平フランジが下方に湾曲するようなことがなく、従って、ＩＣタグホルダーが、損傷するようなことを防止することができる。
【００１０】
更に、運搬用容器に形成されたＩＣタグホルダー収容空間部に、ＩＣタグホルダーが収容された際には、ＩＣタグホルダーに形成された補強垂直リブの先端が、側壁の外壁面に、当接或いは接近して位置するように構成したので、ＩＣタグホルダーの板状本体の側壁方向への湾曲変形を抑制することができ、従って、ＩＣタグホルダーが、損傷するようなことを防止することができる。
【図面の簡単な説明】
【００１１】
【図１】図１は、本発明の運搬用容器の斜視図である。
【図２】図２は、本発明の運搬用容器の部分拡大斜視図である。
【図３】図３は、本発明の運搬用容器の側壁に垂直な部分拡大垂直断面図である。
【図４】図４は、本発明の運搬用容器に取り付けられるＩＣタグホルダーの斜視図である。
【図５】図５は、同じく、本発明の運搬用容器に取り付けられるＩＣタグホルダーの斜視図である。
【図６】図６は、本発明の運搬用容器に取り付けられるＩＣタグホルダーの部分拡大斜視図である。
【図７】図７は、本発明の運搬用容器に取り付けられるＩＣタグホルダーに、ＩＣタグが取り付けられた状態の斜視図である。
【図８】図８は、本発明の運搬用容器に取り付けられるＩＣタグホルダーに、ＩＣタグが取り付けられた状態の部分拡大斜視図である。
【図９】図９は、本発明の運搬用容器に、ＩＣタグホルダーが取り付けられた状態の部分拡大斜視図である。
【図１０】図１０は、本発明の運搬用容器に、ＩＣタグホルダーが取り付けられた状態の側壁に垂直な部分拡大垂直断面図である。
【実施例】
【００１２】
先ず最初に、図１〜図３を用いて、本発明の運搬用容器Ｃについて説明する。  
【００１３】
運搬用容器Ｃは、底部１と、一方の相対する側壁２と、もう一方の相対する側壁３とを有しており、側壁２、３の上端には、外側に水平状に延在する上端水平フランジ４が形成されている。
【００１４】
一方の相対する側壁２の上端水平フランジ４の下方には、所定の間隔を置いて、上部水平リブ５が形成されている。上部水平リブ５の中央部に位置する裏面には、上部水平リブ５に対して略垂直に垂下された相対する垂直リブ部６ａと該垂直リブ部６ａの下端を連結する水平リブ部６ｂが形成されており、一方の相対する側壁２には、相対する垂直リブ部６ａと水平リブ部６ｂと上部水平リブ５とにより囲まれた手持ち用開口６が形成されている。
【００１５】
上端水平フランジ４の側壁２の外壁面２ａからの距離（上端水平フランジ４の長さ方向に対して、垂直方向の長さ）と、上部水平リブ５の側壁２の外壁面２ａからの距離（上部水平リブ５の長さ方向に対して、垂直方向の長さ）とは、略同じに形成されている。また、上端水平フランジ４と上部水平リブ５の側壁２とは、相対する垂直リブ７において連結されている。この相対する垂直リブ７の側壁２の外壁面２ａからの距離も、上端水平フランジ４や上部水平リブ５と同じに形成されている。換言すれば、上端水平フランジ４の先端４ａと上部水平リブ５の先端５ａと垂直リブ７の先端７ａとは、それぞれ、仮想垂直面Ｙに対して面一になるように形成されている。なお、本実施例においては、相対する垂直リブ７の下端と手持ち用開口６を形成する相対する垂直リブ部６ａ上端とが、上部水平リブ５を介して、連結されるように構成されている。
【００１６】
上述した上端水平フランジ４と、上部水平リブ５と、上端水平フランジ４と上部水平リブ５とを連結する相対する垂直リブ７と、側壁２の外壁面２ａとにより、後述するＩＣタグホルダーＨが収容されるＩＣタグホルダー収容空間部Ａが形成されている。
【００１７】
また、相対する垂直リブ７の中間には、上端水平フランジ４と上部水平リブ５とを連結する当接垂直リブ８が形成されており、当接垂直リブ８の先端８ａは、上述した上端水平フランジ４の先端４ａと上部水平リブ５の先端５ａと垂直リブ７の先端７ａとにより形成される仮想垂直面Ｙより、引っ込んで形成されている。
【００１８】
ＩＣタグホルダー収容空間部Ａの上方に位置する上端水平フランジ４には、上端水平フランジ４の長さ方向に沿って、一対の係止透孔９が形成されている。本実施例においては、相対する垂直リブ７と当接垂直リブ８との間に位置する上端水平フランジ４に、係止透孔９が形成されている例が示されている。
【００１９】
次に、図４〜図６を用いて、上述したＩＣタグホルダー収容空間部Ａに収容されるＩＣタグホルダーＨについて説明する。
【００２０】
ＩＣタグホルダーＨは、上述したＩＣタグホルダー収容空間部Ａを形成する相対する垂直リブ７間の水平距離と略同じか、それより短い横幅を有するとともに、ＩＣタグホルダー収容空間部Ａを形成する上端水平フランジ４と上部水平リブ５間の垂直距離と略同じ高さの横長な板状本体ｈ１を有している。
【００２１】
板状本体ｈ１の両端部で、且つ、板状本体ｈ１の上端には、板状本体ｈ１の内面（ＩＣタグホルダーＨを、ＩＣタグホルダー収容空間部Ａに収容した際に、側壁２の外壁面２ａと対向する面）ｈ１ａに対して略垂直に、水平方向に延在する水平片ｈ２が形成されており、水平片ｈ２の上面には、上述した運搬用容器Ｃの上端水平フランジ４に穿設された係止透孔９に嵌合される係止突起ｈ３が突設されている。
【００２２】
また、係止突起ｈ３が突設された水平片ｈ２より中央寄りに位置する板状本体ｈ１の内面ｈ１ａには、所定の間隔を置いて、且つ、板状本体ｈ１の内面ｈ１ａに対して垂直に、一対の補強垂直リブｈ４が形成されている。補強垂直リブｈ４の上端ｈ４ａは、板状本体ｈ１の上端ｈ１ｂと略面一になるように形成されており、また、補強垂直リブｈ４の下端ｈ４ｂは、板状本体ｈ１の下端ｈ１ｃと略面一になるように形成されている。なお、補強垂直リブｈ４の先端部に、運搬用容器Ｃの軽量化や樹脂の節約のために、先端部から板状本体ｈ１の内面ｈ１ａ方向に延在する凹部ｈ４ｃを形成することが好ましい。
【００２３】
板状本体ｈ１の内面ｈ１ａと補強垂直リブｈ４との間には、後述するＩＣタグＴが挿入可能な縦長スリットｈ５が形成されている。また、ｈ６は、補強垂直リブｈ４の水平片ｈ２側に位置する板状本体ｈ１の内面ｈ１ａに突設されたガタ止め突起である。更に、ｈ７は、補強垂直リブｈ４間の中央部に位置する板状本体ｈ１の内面ｈ１ａの上端部から、水平方向に延在するＩＣタグ係止フックである。ＩＣタグ係止フックｈ７と板状本体ｈ１の内面ｈ１ａとの間には、ＩＣタグＴの上端水平部が挿入されるスリットｈ８が形成されている。
【００２４】
次に、図７及び図８を用いて、ＩＣタグホルダーＨへのＩＣタグＴの取り付けについて説明する。
【００２５】
ＩＣタグＴは、横長の弾性変形可能な帯状体として形成されており、ＩＣタグＴの横幅は、ＩＣタグホルダーＨの板状本体ｈ１の内面ｈ１ａに突設された一対のガタ止め突起ｈ６間の間隔と略同じに形成されている。
【００２６】
ＩＣタグＴを、ＩＣタグホルダーＨへ取り付ける際には、ＩＣタグＴを、長さ方向外側に湾曲させて、ＩＣタグＴの垂直端ｔ１を、板状本体ｈ１の内面ｈ１ａと補強垂直リブｈ４との間に形成された縦長スリットｈ５に挿入するとともに、ＩＣタグＴの上端水平部ｔ２を、ＩＣタグ係止フックｈ７と板状本体ｈ１の内面ｈ１ａとの間に形成されたスリットｈ８に挿入する。ＩＣタグＴが、ＩＣタグホルダーＨの板状本体ｈ１の内面ｈ１ａと対向するように配置された際には、ＩＣタグＴの垂直端ｔ１が、ガタ止め突起ｈ６に当接或いは接近して位置するように構成されており、ＩＣタグホルダーＨに取り付けられたＩＣタグＴの水平方向への移動が制限されるように構成されている。
【００２７】
次いで、板状本体ｈ１の内面ｈ１ａに取り付けられたＩＣタグＴが、側壁２の外壁面２ａと対向するように、ＩＣタグホルダーＨを、側壁２に形成されたＩＣタグホルダー収容空間部Ａと相対するように配置する。この状態から、ＩＣタグホルダーＨを、側壁２の外壁面２ａに接近させて、ＩＣタグホルダーＨの係止突起ｈ３を、運搬用容器Ｃの上端水平フランジ４に穿設された係止透孔９に嵌合させることにより、ＩＣタグＴが取り付けられたＩＣタグホルダーＨを、図９や図１０に示されているように、側壁２に形成されたＩＣタグホルダー収容空間部Ａに収容する。
【００２８】
上述したように、ＩＣタグＴが取り付けられたＩＣタグホルダーＨが、側壁２に形成されたＩＣタグホルダー収容空間部Ａに収容された際には、ＩＣタグホルダーＨの板状本体ｈ１の上端ｈ１ｂが、側壁２の上端水平フランジ４の裏面４ｂに、当接或いは接近して位置するように構成されているとともに、ＩＣタグホルダーＨの板状本体ｈ１の下端ｈ１ｃが、側壁２の上部水平リブ５の上面５ｂに、当接或いは接近して位置するように構成されている。
【００２９】
また、ＩＣタグＴが取り付けられたＩＣタグホルダーＨが、側壁２に形成されたＩＣタグホルダー収容空間部Ａに収容された際には、ＩＣタグホルダーＨに形成された補強垂直リブｈ４の上端ｈ４ａが、側壁２の上端水平フランジ４の裏面４ｂに、当接或いは接近して位置するように構成されているとともに、ＩＣタグホルダーＨに形成された補強垂直リブｈ４の下端ｈ４ｂが、側壁２の上部水平リブ５の上面５ｂに、当接或いは接近して位置するように構成されている。従って、側壁２の上端水平フランジ４に、上方から負荷が加わり、上端水平フランジ４が下方に湾曲しようとしても、上端水平フランジ４が、ＩＣタグホルダーＨに形成された補強垂直リブｈ４により、支持されるので、側壁２の上端水平フランジ４が下方に湾曲するようなことがなく、従って、ＩＣタグホルダーＨが、損傷するようなことを防止することができる。
【００３０】
更に、ＩＣタグＴが取り付けられたＩＣタグホルダーＨが、側壁２に形成されたＩＣタグホルダー収容空間部Ａに収容された際には、ＩＣタグホルダーＨに形成された補強垂直リブｈ４の先端ｈ４ｄが、側壁２の外壁面２ａに、当接或いは接近して位置するように構成されているとともに、ＩＣタグホルダーＨに形成されたＩＣタグ係止フックｈ７の先端ｈ７ａが、側壁２に形成された当接垂直リブ８の先端８ａに、当接或いは接近して位置するように構成されている。従って、ＩＣタグホルダーＨの板状本体ｈ１に、外側から負荷が加わった際には、ＩＣタグホルダーＨに形成された補強垂直リブｈ４の先端ｈ４ｄが、側壁２の外壁面２ａに当接するとともに、ＩＣタグホルダーＨに形成されたＩＣタグ係止フックｈ７の先端ｈ７ａが、当接垂直リブ８の先端８ａに当接することになり、従って、ＩＣタグホルダーＨの板状本体ｈ１の側壁２方向への湾曲変形を抑制することができ、よって、ＩＣタグホルダーＨが、損傷するようなことを防止することができる。
【００３１】
更にまた、ＩＣタグＴが取り付けられたＩＣタグホルダーＨが、側壁２に形成されたＩＣタグホルダー収容空間部Ａに収容された際には、ＩＣタグＴが、側壁２の外壁面２ａと、ＩＣタグホルダーＨの板状本体ｈ１の内面ｈ１ａとの間に配置されるように構成されており、ＩＣタグＴが、外側に剥き出しになるようなことがないので、ＩＣタグＴに、外部部材が当接し、ＩＣタグＴが、損傷するようなことを防止することができる。
【００３２】
なお更に、ＩＣタグＴが取り付けられたＩＣタグホルダーＨが、側壁２に形成されたＩＣタグホルダー収容空間部Ａに収容された際には、ＩＣタグホルダーＨが、上端水平フランジ４の先端４ａや上部水平リブ５の先端５ａや垂直リブ７の先端７ａから突出しないように構成されており、従って、ＩＣタグホルダーＨに、外部部材が当接し、ＩＣタグホルダーＨが、側壁２から、不用意に、外れないように構成されている。
【００３３】
更になお、ＩＣタグホルダー収容空間部Ａを、側壁２の上端水平フランジ４と側壁２の上部水平リブ５との間に形成することにより、ＩＣタグホルダー収容空間部Ａを、側壁２の他のスペースを有効利用することができるとともに、ＩＣタグＴが取り付けられたＩＣタグホルダーＨが、側壁２の上部に形成されているので、ＩＣタグＴに蓄積されている情報を、リーダーにより読み取る際に、運搬用容器Ｃに収納された物品により、リーダーによる読み取りが影響されることがない。
【符号の説明】
【００３４】
Ａ・・・・・・・・・・・・ＩＣタグホルダー収容空間部
Ｃ・・・・・・・・・・・・運搬用容器
Ｈ・・・・・・・・・・・・ＩＣタグホルダー
Ｔ  ・・・・・・・・・・・ＩＣタグ
２・・・・・・・・・・・・側壁
４・・・・・・・・・・・・上端水平フランジ
５・・・・・・・・・・・・上部水平リブ
【図１】
0005410170.tif 000002
【図２】
0005410170.tif 000003
【図３】
0005410170.tif 000004
【図４】
0005410170.tif 000005
【図５】
0005410170.tif 000006
【図６】
0005410170.tif 000007
【図７】
0005410170.tif 000008
【図８】
0005410170.tif 000009
【図９】
0005410170.tif 000010
【図１０】
0005410170.tif 000011